(57)【要約】【課題】スムーズに鼻息検査を行うことができる鼻息検査用具を提供する。【解決手段】鼻息検査用具（１０）は、被検者の鼻息像を付着させる鼻息板（５）を支持し得る支持部（１２）と、鼻息板（５）の検査面よりも上方に延設されており、検査時に被検者からその検査面の左右両辺縁部の少なくとも一部を遮蔽する遮蔽部（１４）と、を備えている。【選択図】図４
2018082780.tif 000002
【特許請求の範囲】
【請求項１】
被検者の鼻息像を付着させる鼻息板を支持し得る支持部と、
前記鼻息板の検査面よりも上方に延設されており、検査時に被検者から該検査面の左右両辺縁部の少なくとも一部を遮蔽する遮蔽部と、
を備える鼻息検査用具。
【請求項２】
前記支持部を含む第一支持体と、
前記鼻息板の検査面に付着した鼻息像を撮影可能に配置される撮像部と接続される電子部品を支持し得る第二支持体と、
を更に備え、
前記第一支持体と前記第二支持体とが相互に脱着自在に形成されている、
請求項１に記載の鼻息検査用具。
【請求項３】
前記第一支持体は、
検査時に被検者の口周りに近接する外装面と、
前記外装面の背面側に設けられ、前記第二支持体を収容可能な収容空間と、
を有し、
前記外装面は、前記収容空間に収容されている前記第二支持体が検査時に被検者の口周りに当接するのを防ぐ、
請求項２に記載の鼻息検査用具。
【請求項４】
前記遮蔽部は、検査時に被検者から前記撮像部の一部又は全部を更に遮蔽する、
請求項２又は３に記載の鼻息検査用具。
【請求項５】
前記遮蔽部は、三次元模型の一部又は全部である、
請求項１から４のいずれか一項に記載の鼻息検査用具。
【請求項６】
芳香を放出する芳香放出部、
を更に備える請求項１から５のいずれか一項に記載の鼻息検査用具。
【請求項７】
前記鼻息検査用具の状態を検出する検出部と、
前記検出部により検出された状態を報知する報知部と、
を更に備える請求項１から６のいずれか一項に記載の鼻息検査用具。
【発明の詳細な説明】
【技術分野】
【０００１】
本発明は、鼻息検査のために用いる鼻息検査用具に関する。
【背景技術】
【０００２】
鼻咽腔閉鎖機能などを調べるために、鼻息の漏れ量や鼻の通気具合などを検査する鼻息検査が行われている。例えば、鼻息鏡を被検者の鼻下に設置し、被検者の鼻息で鏡面上にできる鼻息像の大きさや形などを目視で確認する鼻息検査が行われている。このような鼻息鏡を用いた鼻息検査は、検査を比較的簡単に行うことができるため、現在でも医療現場において広く行われている。
【０００３】
このような鼻息検査のために鼻息像を撮影して用いる各種手法が提案されている。
下記特許文献１には、鼻腔通気度検査装置１が提案されている。この装置では、測定ボックスの上面の開口部上に透明ガラス板が固定されており、そのガラス板の上面（平坦面）に形成された鼻息像がその平坦面の裏面側からＣＣＤカメラで撮像される。
下記特許文献２には、検査プレートの一面に生成される鼻息パターンを撮像して被検者の鼻腔通気度を検査する検査装置が提案されている。この装置において、検査プレートは、遮光性のケースの上部にある開口をケースの内側から塞ぐように固定されており、そのケース内に、光学系、ＬＥＤ光源及びＣＣＤカメラが収容されている。
下記特許文献３には、被験者の鼻息を付着させるための鼻息板と、その鼻息板の側方に配置され、鼻息板の表面に付着した鼻息像を撮影する撮像部とを備えることで、被験者が小さな子供であっても鼻息の検査をスムーズに行うことのできる鼻息検査装置が提案されている。
【先行技術文献】
【特許文献】
【０００４】
【特許文献１】特開平１０−８０４１５号公報
【特許文献２】特開２０００−１２６１５７号公報
【特許文献３】特開２０１５−４３９３２号公報
【発明の概要】
【発明が解決しようとする課題】
【０００５】
上述の検査装置には、検査のし易さに関して幾つか改善の余地がある。
特許文献１及び２で提案されている装置では、検査時に被検者に与える抵抗感や恐怖心が考慮されていない。特に、被検者が子供の場合には、装置自体が被検者に恐怖心や抵抗感を与えてしまいスムーズに検査できないこともあり得る。
特許文献３で提案されている装置においても改善の余地はある。
【０００６】
本発明は、このような事情に鑑みてなされたものであり、スムーズに鼻息検査を行うことができる鼻息検査用具を提供する。
【課題を解決するための手段】
【０００７】
本発明の一側面に係る鼻息検査用具は、上述した課題を解決するために、以下の構成を採用する。
本発明の一側面に係る鼻息検査用具は、被検者の鼻息像を付着させる鼻息板を支持し得る支持部と、当該鼻息板の検査面よりも上方に延設されており、検査時に被検者から当該検査面の左右両辺縁部の少なくとも一部を遮蔽する遮蔽部と、を備える。
【発明の効果】
【０００８】
上記側面によれば、スムーズに鼻息検査を行える鼻息検査用具を提供することができる。
【図面の簡単な説明】
【０００９】
【図１】第一実施形態に係る鼻息検査用具の使用態様を示す図である。
【図２】第一実施形態に係る鼻息検査用具を正面上方から目視した図である。
【図３】第一実施形態に係る鼻息検査用具を背面上方から目視した図である。
【図４】第一実施形態に係る鼻息検査用具の分解図である。
【図５】第二実施形態に係る鼻息検査用具の斜視図である。
【図６】第二実施形態に係る鼻息検査用具を正面上方から目視した図である。
【図７】第二実施形態に係る鼻息検査用具の分解図である。
【図８】変形例に係る鼻息検査用具を正面上方から目視した図である。
【図９】第二変形例に係る鼻息検査用具の電気構成を概念的に示す図である。
【発明を実施するための形態】
【００１０】
以下、本発明の実施の形態について説明する。なお、以下に挙げる各実施形態はそれぞれ例示であり、本発明は以下の各実施形態の構成に限定されない。
以下の説明で方向を示す際には、鼻息検査時の鼻息検査用具の使用態様に従って、検査時に被検者が位置する側を被検者側、正面側又は前方、その逆側を背面側又は後方と表記し、検査時の被検者が見る方向により左右方向及び上下方向を指し示すものとする。
【００１１】
［第一実施形態］
第一実施形態に係る鼻息検査用具１０について図１から図４を用いて説明する。
図１は、第一実施形態に係る鼻息検査用具１０の使用態様を示す図であり、図２は、第一実施形態に係る鼻息検査用具１０を正面上方から目視した図であり、図３は、第一実施形態に係る鼻息検査用具１０を背面上方から目視した図であり、図４は、第一実施形態に係る鼻息検査用具１０の分解図である。
【００１２】
第一実施形態に係る鼻息検査用具１０は、主な構成として、鼻息鏡５、鏡支持体１１、及び基板ケース２０を有している。
鼻息鏡５は、被検者Ｐの鼻息像が付着する検査面７を有し、鏡支持体１１は、その鼻息鏡５を支持する。基板ケース２０は、鼻息鏡５の検査面７に付着した鼻息像を撮影可能な撮像部２と接続される電子部品を支持する。鏡支持体１１は第一支持体に相当し、基板ケース２０は第二支持体に相当する。
【００１３】
図１に示されるように、被検者Ｐが鼻息鏡５の検査面７の上方に鼻をおき鼻息を吹きかけることで、鼻息の曇りで検査面７上に鼻息像が形成される。鼻息検査用具１０は、この鼻息像を鼻息鏡５の側方に配置されている二つの撮像部２で撮影し、撮影された鼻息画像により鼻息検査を行う。鼻息画像の解析手法及び検査手法には、上述の特許文献１から３に開示されているような既存の手法が利用可能である。本実施形態はそれら手法を制限しない。また、鼻息検査用具１０は、鼻息画像に対する解析処理を行うことなく、撮像部２から取得された画像データを外部機器に送信するのみ又は記憶しておくのみであってもよい。
【００１４】
鼻息鏡５は、角丸長方形の板形状を有し、鏡面の検査面７を有している。鼻息鏡５の形状は、被検者Ｐの鼻下に配置可能でありかつ鼻息像を形成可能であれば、制限されない。例えば、鼻息鏡５は、ステンレス製であり、その検査面７には、半円状の目盛りや放射状の線が彫られている。鼻息鏡５には、既存の鼻息鏡が利用されてもよい。
【００１５】
鏡支持体１１は、全体として、中空のリンゴを模した形状を有している。鏡支持体１１の正面側は、図２に示されるようにリンゴを模した外装となっており、鏡支持体１１の背面側は、図３に示されるように開放されている。
具体的には、鏡支持体１１の正面側については、検査時に被検者Ｐにより視認可能な範囲の外装が、四分の一程度切り取られた後の切断面１４を有するリンゴの模型となっている。この外装により被検者Ｐに親近感や興味を抱かせて、鼻息検査用具１０に対する被検者Ｐの抵抗感や恐怖心を抑えることができる。
【００１６】
リンゴを模した外装の切断面１４には開口部１３が設けられている。この開口部１３により鏡支持体１１の内側（中空部）が視認され得る。鼻息鏡５が鏡支持体１１に支持されている状態において、その開口部１３の下端に鼻息鏡５の前端が配置されている。これにより、被検者Ｐは、図１に示されるように開口部１３に鼻を挿入することで、鼻息鏡５の検査面７に鼻息像を形成することができる。また、リンゴの形状が略球形であるところ、切断面１４により鏡支持体１１の正面側が背面側へ凹形状となっていることで、被検者Ｐが開口部１３に鼻を挿入し易い形状となっている。即ち、切断面１４における開口部１３の下部が検査時に被検者Ｐの口周りに近接する外装面１５となっている。
【００１７】
鏡支持体１１の背面側は、図３に示されるように開放されており、鏡支持体１１の内側に設けられている支持プレート１２が露出している。これにより、支持プレート１２上に鼻息鏡５が載置された状態において、測定者（又は検査補助者）Ｅが鼻息鏡５上に鼻息像が適切に付着しているかを確認し易くなっている。
【００１８】
支持プレート１２は、鏡支持体１１の内側（中空部）に設けられた、鼻息鏡５を支持する部材である。即ち、第一実施形態において支持プレート１２は支持部に相当する。鼻息鏡５はその支持プレート１２上に載置されることで下面から支持プレート１２に支持される。支持プレート１２は、支持面（上面）に、鼻息鏡５の主面を嵌めるための鼻息鏡５の厚み分の段差を有する凹部を有しており、その段差に延在する壁面により鼻息鏡５の端面を覆うよう形成されていてもよい。この凹部によれば、支持プレート１２上での鼻息鏡５の位置ずれを防ぐことができると共に、端面を被検者Ｐから遮蔽することができる。鼻息鏡５の端面は細く尖鋭な感じに捉えられ得るため、そのような端面が検査を受けようとしている被検者Ｐ側に露出していると被検者、特に幼児の被検者Ｐに恐怖心や抵抗感を与えてしまい正常に検査できないこともあり得るところ、鼻息鏡の端面が覆われていることにより被検者Ｐの恐怖心などを抑え、正確な検査が可能となる。
【００１９】
本実施形態において支持プレート１２は、鼻息鏡５の下面全体を支持しているが、その一部を支持するような形状であってもよい。また、鏡支持体１１における鼻息鏡５の支持構造は、鼻息鏡５の下面を支持する構造に限定されず、鼻息鏡５を側方から挟持する構造など、鼻息鏡５を支持可能な構造であればよい。
支持プレート１２は、鏡支持体１１に保持されている。支持プレート１２は、鏡支持体１１と一体成形されていてもよいし、鏡支持体１１に固着されていてもよい。
【００２０】
鏡支持体１１の内側の支持プレート１２の下方には、図４に示されるように、基板ケース２０を収容可能な収容空間１８と、収容空間１８と連通し基板ケース２０を挿入可能な脱着口１６とが設けられている。基板ケース２０は、脱着口１６から鏡支持体１１の内側に挿嵌され、収容空間１８に収容される。加えて、収容空間１８の下方にはケース支持部１７が設けられており、ケース支持部１７が収容空間１８に収容されている基板ケース２０を下方から支持する。
収容空間１８は、検査時に被検者Ｐの口周りに近接する外装面１５の背面側に設けられており、脱着口１６も、外装面１５の背面側に設けられている。これにより、外装面１５は、収容空間１８に収容されている基板ケース２０が検査時に被検者の口周りに当接するのを防いでいるといえる。
【００２１】
基板ケース２０は、中空の箱状体であり、プリント基板などのような撮像部２に接続され、撮像部２から出力される画像信号を処理する電子部品及び画像信号を伝送する配線を収容している。
また、基板ケース２０は、その箱状体の両側方に二つのカメラ支持部２２を有している。カメラ支持部２２は、筒状体であり、その中空に挿嵌された撮像部２を所定の画角を保った状態で支持する。カメラ支持部２２は、検査時の被検者Ｐから遮蔽するように、可能な限り撮像部２、並びに撮像部２周りの電子部品及び配線を覆っていることが好ましい。例えば、カメラ支持部２２は、撮像部２のレンズ部のみが露出するように、撮像部２などを覆う。
【００２２】
撮像部２は、レンズを通して取り込まれた光を電気信号に変換する撮像素子やレンズなどにより形成される撮像装置（カメラ）である。撮像部２は、鼻息鏡５の表面に付着した鼻息像を一定時間連続して撮影し、鼻息画像を取得し、その画像信号を出力する。撮像部２は、例えば、ＣＣＤ（Charge Coupled Device）カメラとして実現される。撮像部２は、カメラ支持部２２により鼻息鏡５の左右両側部に固定されている。例えば、撮像部２は、鼻息鏡５の検査面７に対して仰角が１０度から２０度、前後の斜め上方からその検査面７を撮影する。
なお、撮像部２は、無線通信機能を有しており、基板ケース２０の箱状体内に収容されるプリント基板に対して無線通信により画像信号を送信してもよい。この場合、撮像部２とプリント基板とを接続する配線はなくてもよい。
【００２３】
基板ケース２０の箱状体内に収容されるプリント基板には、例えば、ＣＰＵ（Central Processing Unit）、メモリ、入出力インタフェース（Ｉ／Ｆ）、通信ユニット等が実装されている（図９参照）。また、撮像部２やそれら電子部品を駆動するための電源（電池など）も収容されている。ＣＰＵは、メモリに格納されるプログラムを読み込み実行することで、鼻息画像に対して所定の画像処理や解析処理を施すことができる。例えば、二つの撮像部２で撮像された画像データの合成を行い、合成された画像に対して所定の画像解析を行うことで、鼻息の診断で重要となる、鼻息像の形状、面積、時間的・空間的変化の様子等の情報を取得することができる。このような鼻息画像の解析手法及び検査手法には、上述の特許文献１から３に開示されているような既存の手法が利用可能であるため、具体的な説明は割愛する。また、プリント基板は、このような画像解析を行うことなく、撮像部２から取得された画像データを外部機器に送信するのみであってもよい。
本実施形態は、撮像部２及び撮像部２に接続される電子部品などのような電子的又は電気的なハードウェア要素、並びにソフトウェア要素を何ら制限しない。
【００２４】
上述のような構成により、本実施形態によれば、基板ケース２０を外すだけで、検査時に被検者Ｐの肌に当たる鏡支持体１１のみを洗浄や消毒を行うことができるため、鼻息検査用具１０を清潔に保ちながら、容易に繰り返し利用することができる。更に、洗浄や消毒により撮像部２及び撮像部２に接続される電子部品が破損するのを防ぐことができる。
【００２５】
また、上述の構成を補足すると、鏡支持体１１の正面側の切断面１４（特に、開口部１３の両側方部分）は、鼻息鏡５の検査面７よりも上方に延設（立設）されており、検査時に被検者Ｐから鼻息鏡５の検査面７の左右両辺縁部（左辺縁部及び右辺縁部の両方）を遮蔽する遮蔽部と呼ぶことができる。また、この遮蔽部は、検査時に被検者Ｐに把握され難いように、鼻息鏡５の形状を隠しているということもできる。
本明細書において「検査時に被験者から遮蔽する」とは、検査を適正な態勢で受けている又は受けようとしている被験者にできるだけ見せないようにするという広範な意味を持ち、検査を受けている又は検査を受けようとしている被験者に絶対に見せないようにするといった狭い意味に限定するものではない。
鼻息鏡５の左右両辺縁部が完全に露出しており、検査時に被検者Ｐに容易に視認される状態となっている場合、鼻息鏡５の形状が被検者Ｐ（特に子供の場合）に恐怖心や抵抗感を与えてしまいスムーズに検査できないこともあり得る。しかし、本実施形態のように、鼻息鏡５の左右両辺縁部が完全に遮蔽されていることで、鼻息鏡５の形状が被検者Ｐに把握され難いため、被検者Ｐの恐怖心などを抑えることができ、スムーズかつ正確に鼻息検査を行うことができる。
【００２６】
更に、本実施形態では、上記切断面１４は三次元のリンゴ模型の一部である。リンゴという親しみ易い現実の物を模した模型の一部で、鼻息鏡５の左右両辺縁部（鼻息鏡５の形状）を遮蔽することで、被検者Ｐの抵抗感をより一層抑えることができる。但し、鼻息鏡５の左右両辺縁部を遮蔽する遮蔽部は、リンゴ以外の三次元模型の一部又は全部であってもよい。
加えて、本実施形態では、上記切断面１４は、検査時に被検者Ｐから撮像部２及びカメラ支持部２２も遮蔽している。即ち、切断面１４は、検査時に被検者Ｐから撮像部２の一部又は全部を更に遮蔽する遮蔽部と呼ぶことができる。これにより、撮像部２により被検者Ｐに与える恐怖心や抵抗感をも抑えることができ、スムーズな鼻息検査を可能とする。
【００２７】
［第二実施形態］
次に、第二実施形態に係る鼻息検査用具３０について図５から図７を用いて説明する。
図５は、第二実施形態に係る鼻息検査用具３０の斜視図であり、図６は、第二実施形態に係る鼻息検査用具３０を正面上方から目視した図であり、図７は、第二実施形態に係る鼻息検査用具３０の分解図である。
【００２８】
第二実施形態に係る鼻息検査用具３０は、第一実施形態と同様に、主な構成として、鼻息鏡５、鏡支持体３１、及び基板ケース４０を有している。
鼻息鏡５は第一実施形態と同様である。鏡支持体３１は鼻息鏡５を支持し、基板ケース４０は撮像部２と接続される電子部品を支持する。即ち、鏡支持体３１は第一支持体に相当し、基板ケース４０は第二支持体に相当する。なお、撮像部２についても第一実施形態と同様である。
第二実施形態に係る鼻息検査用具３０も、第一実施形態と同様に、鼻息鏡５の検査面７に付着した鼻息像を鼻息鏡５の側方に配置されている二つの撮像部２で撮影し、撮影された鼻息画像により鼻息検査を行う。鼻息画像の解析手法及び検査手法には、上述の特許文献１から３に開示されているような既存の手法が利用可能である。本実施形態はそれら手法を制限しない。
【００２９】
鏡支持体３１は、全体として、背面側が開放された中空の箱状体である。
鏡支持体３１の前面は、図６に示されるように、背面側へ窪んだ凹曲面３４を有しており、その凹曲面３４の左右には丸角部を有している。このように、鏡支持体３１の前面が全体的に曲面形状となっているため、本用具に対する被検者Ｐの抵抗感や恐怖心を和らげることができる。更に、その凹曲面３４は、検査時に被検者Ｐの口周りに近接する外装面となっている。この凹曲面３４によって、被検者Ｐは鼻息鏡５の検査面７の上方に鼻を配置し易くなっている。
【００３０】
鏡支持体３１の上面は、鼻息鏡５を支持する支持プレート３２の支持面（上面）と、その支持プレート３２の支持面より鼻息鏡５の厚み分高い位置にある部分上面３３とからなる。このため、第二実施形態において支持プレート３２は支持部に相当する。
鏡支持体３１の上面の前後方向の略後ろ半分は、支持プレート３２のみから形成されている。そして、鏡支持体３１の左右両側面の当該略後ろ半分は、鏡支持体３１に基板ケース４０が装着される際にカメラ支持部４２の一部を通過させるために、開放されている。部分上面３３は、鏡支持体３１の上面の略前半分の支持プレート３２の支持面の周囲に存在している。この部分上面３３と支持プレート３２の支持面（上面）との段差に延在する壁面により鼻息鏡５の被検者側の端面が覆われている。その壁面は、鼻息鏡５の位置ずれを防ぎながら、鼻息鏡５の端面を検査時の被検者Ｐから遮蔽している。このように、鼻息鏡５の端面を覆うことで、被検者Ｐの抵抗感などを抑えることができる。
【００３１】
本実施形態において支持プレート３２は、鼻息鏡５の下面全体を支持しているが、その一部を支持するような形状であってもよい。この場合、鏡支持体３１の上面が開放されていてもよい。また、鏡支持体３１における鼻息鏡５の支持構造は、鼻息鏡５の下面を支持する構造に限定されず、鼻息鏡５を側方から挟持する構造など、鼻息鏡５を支持可能な構造であればよい。
【００３２】
鏡支持体３１の背面側は、図７に示されるように開放されている。鏡支持体３１の内側には、図７に示されるように、基板ケース４０を収容可能な収容空間３６が設けられており、鏡支持体３１の背面側には、その収容空間３６と連通し基板ケース４０を挿入可能な脱着口３７が設けられている。基板ケース４０は、その脱着口３７から鏡支持体３１の内側に挿嵌され、収容空間３６に収容される。
また、収容空間３６は、検査時に被検者Ｐの口周りに近接する凹曲面３４（外装面）の背面側に設けられており、脱着口３７も、凹曲面３４の背面側に設けられている。これにより、凹曲面３４（外装面）は、収容空間３６に収容されている基板ケース４０が検査時に被検者Ｐの口周りに当接するのを防いでいるといえる。
【００３３】
基板ケース４０は、中空の箱状体であり、プリント基板などのような撮像部２に接続され、撮像部２から出力される画像信号を処理する電子部品及び画像信号を伝送する配線を収容している。
また、基板ケース４０は、その箱状体の両側面から鼻息鏡５の検査面７よりも上方に延設（立設）されている二つのカメラ支持部４２を有しており、その箱状体の背面から検査面７よりも上方に延設（立設）されている二つの模型体４４を有している。
【００３４】
カメラ支持部４２及び模型体４４は、チューリップを模した形状を有しており、チューリップの茎に相当する部位（以降、茎模擬部位と表記される場合もある）が鼻息鏡５における後辺縁部及び左右両辺縁部から更に上方に延設されており、その茎模擬部位の上方にチューリップの花に相当する部位（以降、花模擬部位と表記される場合もある）が更に設けられている。そして、平面視において、各花模擬部位は、支持プレート３２上に載置された鼻息鏡５の検査面７に部分的に覆い被さるよう配置されている。これにより、少なくともカメラ支持部４２の花模擬部位により、検査時の被検者Ｐから鼻息鏡５の検査面７の左右両辺縁部の少なくとも一部が遮蔽されている。よって、カメラ支持部４２は、鼻息鏡５の検査面７よりも上方に延設（立設）されており、検査時に被検者Ｐから鼻息鏡５の検査面７の左右両辺縁部の少なくとも一部を遮蔽する遮蔽部と呼ぶことができる。また、この遮蔽部は、検査時に被検者Ｐに把握され難いように、鼻息鏡５の形状を隠しているということもできる。結果、鼻息鏡５の左右両辺縁部の少なくとも一部が遮蔽されていることで、全てが露出されている場合に比べて、鼻息鏡５の形状が把握され難いため、被検者Ｐの恐怖心などを抑えることができ、ひいては、スムーズかつ正確に鼻息検査を行うことができる。
【００３５】
更に言えば、カメラ支持部４２及び模型体４４の茎模擬部位には、図６に示されるように、凹部が形成されており、支持プレート３２上に載置されている鼻息鏡５の左右両辺縁部及び後辺縁部の一部がその凹部に挿嵌される。
このことからもカメラ支持部４２は共に遮蔽部と呼ぶこともできる。また、模型体４４は、検査時に被検者Ｐから鼻息鏡５の検査面７の後辺縁部の少なくとも一部を遮蔽する遮蔽部と呼ぶことができる。このような構造により、本実施形態によれば、鼻息鏡５の検査面７の左右両辺縁部の少なくとも一部だけでなく、後辺縁部の少なくとも一部も検査時の被検者Ｐから遮蔽されるため、被検者Ｐの抵抗感をより一層和らげることができる。
また、カメラ支持部４２及び模型体４４の茎模擬部位の凹部により、鼻息鏡５が支持プレート３２から上方へ外れるのも防ぐことができる。
【００３６】
更に、本実施形態では、カメラ支持部４２及び模型体４４は、三次元のチューリップ模型である。即ち、チューリップという親しみ易い現実の物を模した模型により、鼻息鏡５の左右両辺縁部の少なくとも一部及び後辺縁部の少なくとも一部を遮蔽することで、被検者Ｐの抵抗感をより一層抑えることができる。但し、鼻息鏡５の左右両辺縁部の少なくとも一部及び後辺縁部の少なくとも一部を遮蔽する遮蔽部は、チューリップ以外の三次元模型の一部又は全部であってもよい。
【００３７】
カメラ支持部４２は、その花模擬部位の内側に撮像部２を収容している。カメラ支持部４２の花模擬部位には、撮像部２のレンズ部を配置するための開口が設けられている。これにより、撮像部２は、カメラ支持部４２の花模擬部位の内側に所定の画角を保った状態で保持されており、その花模擬部位の開口を介して検査面７に付着している鼻息像を撮像する。
【００３８】
また、カメラ支持部４２の茎模擬部位も中空の筒形状を有しており、その中空と花模擬部位の中空と基板ケース４０の箱状体の中空とが連通していることが好ましい。これにより、カメラ支持部４２の花模擬部位内に収容される撮像部２と基板ケース４０の箱状体内に収容されるプリント基板とを接続する配線を撮像部２と共にカメラ支持部４２の内部に配置することができる。
結果として、撮像部２、並びに撮像部２周りの電子部品及び配線を検査時の被検者Ｐから遮蔽することができるため、撮像部２などにより被検者Ｐに与える抵抗感を抑えることができる。このため、カメラ支持部４２は、検査時に被検者Ｐから撮像部２の一部又は全部を更に遮蔽する遮蔽部と呼ぶことができる。なお、撮像部２とプリント基板とが無線により通信する場合には、このような構造はなくてもよい。
本実施形態においても、撮像部２及び撮像部２に接続される電子部品などのような電子的又は電気的なハードウェア要素、並びにソフトウェア要素を何ら制限しない。
【００３９】
上述のような構成により、本実施形態においても、第一実施形態と同様に、基板ケース４０を外すだけで、検査時に被検者Ｐの肌に当たる鏡支持体３１のみを洗浄や消毒を行うことができるため、鼻息検査用具３０を清潔に保ちながら、容易に繰り返し利用することができる。更に、洗浄や消毒により撮像部２及び撮像部２に接続される電子部品が破損するのを防ぐことができる。
【００４０】
［変形例］
上述の第一及び第二実施形態はそれぞれ鼻息検査用具の一例である。鼻息検査用具は、上述のような構成に限定されず、本発明の趣旨を逸脱しない範囲で変形可能である。
【００４１】
例えば、鼻息検査用具１０又は３０は、鼻息板を支持し得る第一支持体と、鼻息板の検査面に付着した鼻息像を撮影可能に配置される撮像部と接続される電子部品を支持し得る第二支持体と、を備えており、第一支持体と第二支持体とが相互に脱着自在に形成されていればよい。
ここで、「鼻息板」とは、鼻息により鼻息像が付着する検査面を有し、検査面に付着された鼻息像が撮像部２により撮影可能な板状の部材を意味する。よって、鼻息板は上述の鼻息鏡５のように鏡面の検査面を有していなくてもよい。
また、「撮像部と接続される電子部品」とは、配線などにより物理的に撮像部と接続される電子部品のみに制限されず、無線通信など何らかの通信により撮像部から出力される画像信号を受信可能な電子部品であってもよい。
上述のような構成を有していれば、第二支持体を第一支持体から取り外すだけで、検査時に被検者の肌に当たる可能性の高い第一支持体のみを洗浄や消毒を行うことができる。即ち、鼻息検査用具１０又は３０における、検査時に被検者の口周りに近接又は当接する部位を洗浄し易くなっている。結果、鼻息検査用具を清潔に保ちながら、多数の被検者に対して繰り返し利用することができると共に、洗浄や消毒により撮像部に接続される電子部品が破損するのを防ぐことができる。つまり、上述のような構成により、使い易い鼻息検査用具を実現することができる。
【００４２】
更に補足すれば、鼻息検査用具１０又は３０は、鼻息板及び撮像部並びに撮像部と接続される電子部品を有していなくてもよく、鼻息板を支持するための（支持し得る）第一支持体と、当該電子部品を支持するための（支持し得る）第二支持体とを有していればよい。このような構成であっても、鼻息検査用具１０又は３０を実際の鼻息検査の前の練習用に利用することができる。
鼻息検査前にこのような構成の鼻息検査用具１０又は３０を被検者に提供することで、被検者に鼻息検査用具１０又は３０に慣れさせることができる。この場合でも、第一支持体のみを洗浄することで、鼻息検査用具１０又は３０を清潔な状態で繰り返し利用することができる。
【００４３】
また、鼻息検査用具１０又は３０は、撮像部や撮像部に接続される電子部品、並びに第二支持体を有していない、単なる鼻息板（鼻息鏡５）のカバーであってもよい。この場合、鼻息検査用具１０又は３０は、上記鼻息板を支持し得る支持部と、当該鼻息板の検査面よりも上方に延設されており、検査時に被検者からその検査面の左右両辺縁部の少なくとも一部を遮蔽する遮蔽部と、を有していればよい。この遮蔽部は、検査時に被検者から鼻息板の検査面の形状が把握され難くなるようにその検査面の一部又は全部を遮蔽すると表記することもできる。
このような構成を有していれば、鼻息板の検査面の左右両辺縁部の少なくとも一部が検査を受けようとしている被検者から遮蔽されるため、鼻息板の形状が完全に露出している状態（例えば、鼻息鏡のみ）で検査する場合と比べて、被検者の抵抗感や恐怖感を和らげることができ、ひいては、スムーズな鼻息検査が可能となる。
【００４４】
また、第一及び第二の実施形態において、遮蔽部（切断面１４及びカメラ支持部４２）は、リンゴ又はチューリップを模した三次元模型の一部又は全部であったが、他の三次元模型の一部又は全部であってもよい。この三次元模型は、現実世界に存在する人物や物体の他、アニメや漫画のキャラクタや道具などのような架空の人物や物体であってもよい。もちろん、当該遮蔽部は、三次元模型の一部又は全部でなくてもよい。
【００４５】
図８は、第一変形例に係る鼻息検査用具５０を正面上方から目視した図である。
第一変形例に係る鼻息検査用具５０においても、上述の各実施形態と同様に、鼻息鏡５を支持し得る支持部を含む鏡支持体５１と、撮像部２と接続される電子部品を支持し得る基板ケース６０（図示せず）とを有している。
鏡支持体５１は、中空の箱状体であり、その内側に基板ケース６０を脱着自在に収容している。鏡支持体５１の上面に凹部（上記支持部に相当）が形成されており、その凹部に鼻息鏡５が載置される。
【００４６】
第一変形例では、カメラ支持部６２が基板ケース６０と別体形成されている。カメラ支持部６２は、鼻息鏡５を左右方向に跨ぐアーチ形状を有しており、そのアーチ形状の端部で鏡支持体５１の上面に脱着自在に装着されている。鏡支持体５１の上面に装着された状態において、カメラ支持部６２は、上述のような所定の向き及び位置で二つの撮像部２を支持すると共に、その両端部で、鼻息鏡５の検査面７の左右両辺縁部の一部をそれぞれ覆う。このため、第一変形例に係る鼻息検査用具５０は、被検者の鼻息像を付着させる鼻息板を支持し得る支持部と、当該鼻息板の検査面よりも上方に延設されており、検査時に被検者からその検査面の左右両辺縁部の少なくとも一部を遮蔽する遮蔽部（カメラ支持部６２に相当）とを備えるということもできる。
このように第一変形例においても、鼻息鏡５の検査面７の左右両辺縁部の少なくとも一部が検査時の被検者Ｐから遮蔽されているため、上述と同様の作用効果を得ることができる。
【００４７】
上述の鼻息検査用具１０、３０又は５０は、芳香を放出する芳香放出部を更に備えていてもよい。これによれば、芳香により被検者Ｐに安らぎ感や安心感を与えて、鼻息検査に対する抵抗感や恐怖心を抑えることができる。
芳香放出部は、検査時に被検者Ｐが芳香を感じ取れる形態で設けられていればよい。検査時に被検者Ｐに近接する部位、例えば、切断面１４、外装面１５、凹曲面３４、カメラ支持部４２、又は模型体４４に芳香が付された部材が用いられてもよいし、芳香剤が塗布されていてもよい。それ以外にも芳香剤を入れる容器状の部材が設けられていてもよい。
また、芳香の種類についても、被検者Ｐに安らぎや安心感を与えられる所謂いい匂いであれば、何ら制限されない。即ち、芳香放出部の具体的形態は制限されない。
【００４８】
図９は、第二変形例に係る鼻息検査用具の電気構成を概念的に示す図である。
図９に示されるように、鼻息検査用具は、用具の状態を検出する検出部７５と、検出部７５により検出された状態を報知する報知部７６とを更に有していてもよい。
【００４９】
検出部７５は、鼻息検査用具自身に設けられるセンサである。検出部７５により検出される用具の状態は、鼻息検査用具の状態であればどのような状態でもよい。例えば、検出部７５は、鼻息検査用具（鼻息鏡５など）の傾き、鼻息鏡５による撮影中か否か、鼻息鏡５の設置具合、撮像部２の向きなどを検出可能である。具体的には、傾きは、加速度センサや傾斜センサなどにより検出可能であり、鼻息鏡５の設置具合は、接触センサや圧力センサなどにより検出可能である。検出部７５がセンサとして実現されている場合には、検出部７５からのセンサ信号がプリント基板上に実装されている入出力インタフェース（Ｉ／Ｆ）７２で受信され、ＣＰＵ７０で処理されてもよい。
また、検出部７５は、ソフトウェア要素として実現されてもよい。例えば、検出部７５は、ＣＰＵ７０でメモリ７１に格納されるプログラムが実行されることで実現される画像解析処理により、撮像部２により撮影された画像を解析することで、撮像部２の向きなどを検出することができる。
【００５０】
報知部７６は、検出された用具状態を表示する表示装置であってもよいし、当該用具状態を音声で出力する音声出力装置であってもよい。報知部７６による具体的な報知手法は制限されない。表示装置としては、ＬＣＤ（Liquid Crystal Display）やＣＲＴ（Cathode Ray Tube）ディスプレイであってもよいし、ＬＥＤ（Light Emitting Diode）のような発光素子であってもよい。報知部７６がＬＥＤで実現される場合、撮影中か否かで発光色を変えたり、傾きが所定角度より大きいか否かで発光色を変えたりすることで用具状態を表示することができる。
報知部７６が表示装置として実現される場合、報知部７６は、測定者Ｅなど被検者Ｐ以外で検査を補助する者に視認可能な位置に設置されればよい
【００５１】
第二変形例によれば、用具の状態が自動で検出され、その状態が報知されるため、測定者Ｅなどが鼻息検査用具の状態を容易に把握することができ、ひいては、鼻息検査の正確性を向上させることができる。
また、上述の各実施形態及び各変形例は、内容が相反しない範囲で組み合わせることができる。
【００５２】
上述の内容の一部又は全部は、以下の付記のようにも特定され得る。但し、上述の内容が以下の記載に限定されるものではない。
（付記１）被検者の鼻息像を付着させる鼻息板を支持し得る支持部と、
前記鼻息板の検査面よりも上方に延設されており、検査時に被検者から該検査面の左右両辺縁部の少なくとも一部を遮蔽する遮蔽部と、
を備える鼻息検査用具。
（付記２）前記支持部を含む第一支持体と、
前記鼻息板の検査面に付着した鼻息像を撮影可能に配置される撮像部と接続される電子部品を支持し得る第二支持体と、
を更に備え、
前記第一支持体と前記第二支持体とが相互に脱着自在に形成されている、
（付記１）に記載の鼻息検査用具。
（付記３）前記第一支持体は、
検査時に被検者の口周りに近接する外装面と、
前記外装面の背面側に設けられ、前記第二支持体を収容可能な収容空間と、
を有し、
前記外装面は、前記収容空間に収容されている前記第二支持体が検査時に被検者の口周りに当接するのを防ぐ、
（付記２）に記載の鼻息検査用具。
（付記４）前記遮蔽部は、検査時に被検者から前記撮像部の一部又は全部を更に遮蔽する、
（付記２）又は（付記３）に記載の鼻息検査用具。
（付記５）前記遮蔽部は、三次元模型の一部又は全部である、
（付記１）から（付記４）のいずれか一つに記載の鼻息検査用具。
（付記６）芳香を放出する芳香放出部、
を更に備える（付記１）から（付記５）のいずれか一つに記載の鼻息検査用具。
（付記７）前記鼻息検査用具の状態を検出する検出部と、
前記検出部により検出された状態を報知する報知部と、
を更に備える（付記１）から（付記６）のいずれか一つに記載の鼻息検査用具。
（付記８）鼻息板を支持し得る第一支持体と、
前記鼻息板の検査面に付着した鼻息像を撮影可能に配置される撮像部と接続される電子部品を支持し得る第二支持体と、
を備え、
前記第一支持体と前記第二支持体とが相互に脱着自在に形成されている、
鼻息検査用具。
【符号の説明】
【００５３】
２  撮像、５  鼻息鏡、７  検査面、１０，３０，５０  鼻息検査用具、１１，３１，５１  鏡支持体、１２，３２  支持プレート、１３  開口部、１４  切断面、１６，３７  脱着口、１７  ケース支持部、１８，３６  収容空間、２０，４０，６０  基板ケース、２２，４２，６２  カメラ支持部、３４  凹曲面、４４  模型体、７０  ＣＰＵ、７１  メモリ、７２  入出力Ｉ／Ｆ、７５  検出部、７６  報知部
【図１】
2018082780.tif 000003
【図２】
2018082780.tif 000004
【図３】
2018082780.tif 000005
【図４】
2018082780.tif 000006
【図５】
2018082780.tif 000007
【図６】
2018082780.tif 000008
【図７】
2018082780.tif 000009
【図８】
2018082780.tif 000010
【図９】
2018082780.tif 000011